(57)【要約】【課題】育苗ポットの陳列効果を高めることができるようにする。【解決手段】育苗ポット用トレイ１１，１２，１３の基枠１０には、育苗ポット５１を立てた状態で収容するためのポット収容部１７が複数配列されている。トレイ１１，１２の上縁には、上側に積層されたトレイ１２，１３のポット収容部１７の下端を掛け止めするための掛け止め部３３が設けられている。トレイ１１，１２，１３が上下に積層された状態において、上側のトレイ１２，１３のポット収容部１７の下端が下側のトレイ１１，１２の掛け止め部３３に掛け止めされて、同トレイ１２，１３の浮き上がりが阻止される。【選択図】図１
2019041614.tif 000002
【特許請求の範囲】
【請求項１】
基枠に、育苗ポットを立てた状態で収容するためのポット収容部を複数配列した育苗ポット用トレイにおいて、
前記基枠の上面の外周縁には、上部に載置された他の育苗ポット用トレイの前記ポット収容部の下端を内側から掛け止めするための掛け止め部を設けた育苗ポット用トレイ。
【請求項２】
前記基枠を、外枠と、その外枠の内側に縦横に設けられた内枠とによって構成するとともに、前記外枠と内枠との間及び内枠間にポット収容部を全体として碁盤目状に配列し、前記内枠の上縁に上部側のポット収容部の下端を受けるための受け止め部を形成した請求項１に記載の育苗ポット用トレイ。
【請求項３】
前記ポット収容部の下端に、下側の前記掛け止め部に前方から対向する外れ防止部を形成した請求項２に記載の育苗ポット用トレイ。
【請求項４】
前記外枠と内枠とを同じ高さに形成した請求項２または３に記載の育苗ポット用トレイ。
【発明の詳細な説明】
【技術分野】
【０００１】
本発明は、育苗ポットを陳列のために整列状態で収容するようにした育苗ポット用トレイに関するものである。
【背景技術】
【０００２】
特許文献１には、花などの苗の育苗ポットを整列状態で収容して陳列するようにした育苗ポット用トレイが開示されている。この特許文献１に開示された育苗ポット用トレイは、複数のポット収容部が枠内に配列されたものである。
【先行技術文献】
【特許文献】
【０００３】
【特許文献１】特開２０１０−１７２２９２号公報
【発明の概要】
【発明が解決しようとする課題】
【０００４】
特許文献１の育苗ポット用トレイは、育苗ポットをポット収容部に収容することにより、育苗ポットを一平面上で整列させて、陳列や保管などに供することはできるが、育苗ポットを立体的に整列させることはできない。仮に、育苗ポットの立体的な陳列のために育苗ポット用トレイを重ねたとしても、育苗ポットの不均一配置などに起因する重量バランスの不釣り合いなどによって、上側に積層されたトレイが傾斜したりして、陳列効果が損なわれるおそれがあった。
【０００５】
本発明の目的は、育苗ポットの陳列効果を高めることができる育苗ポット用トレイを提供することにある。
【課題を解決するための手段】
【０００６】
上記の目的を達成するために、本発明の育苗ポット用トレイにおいては、基枠に、育苗ポットを立てた状態で収容するためのポット収容部を複数配列した育苗ポット用トレイにおいて、前記基枠の上面の外周縁には、上部に載置された他の育苗ポット用トレイの前記ポット収容部の下端を内側から掛け止めするための掛け止め部を設けたことを特徴とする。
【０００７】
以上の構成においては、上部側に積層された育苗ポット用トレイのポット収容部の下端を下側の育苗ポット用トレイの掛け止め部に掛け止めすることにより、上部側に積層されたトレイの傾斜を回避できて、そのトレイに育苗ポットを立体的に見栄えよく陳列できる。
【発明の効果】
【０００８】
本発明によれば、育苗ポットの陳列効果を高めることができるという効果を発揮する。
【図面の簡単な説明】
【０００９】
【図１】育苗ポット用トレイの使用状態を示す斜視図。
【図２】育苗ポット用トレイの分解斜視図。
【図３】ポット収容部の部分を示す一部斜視図。
【図４】育苗ポット用トレイの一部平面図。
【図５】育苗ポット用トレイの積層状態を示す一部断面図。
【図６】図５の円内の部分の拡大断面図。
【発明を実施するための形態】
【００１０】
以下、本発明を具体化した実施形態を図面に基づいて説明する。
本実施形態においては、図１及び図２に示すように、平面四角形をなし、大きさの異なる合成樹脂製の３種の育苗ポット用トレイ（以下、単にトレイという）１１，１２，１３が用意されている。トレイ１１，１３はそれぞれ平面四角形をなし、対向する２辺の長さが等しいとともに、他の対向する２辺の長さがそれぞれ異なり（長方形）、トレイ１２は４辺の長さが等しい（正方形）。そして、下側に位置するものほど大きいトレイとなるように各トレイ１１，１２，１３は上下に積層される。
【００１１】
図２に示すように、各トレイ１１，１２，１３は、平面四角形の外枠１４と、その外枠１４の内部において縦横に架設された内枠１５，１６とを備えている。この外枠１４及び内枠１５，１６により、各トレイ１１，１２，１３の基枠１０が構成されている。そして、外枠１４と内枠１５，１６との間及び各内枠１５，１６間にはポット収容部１７が平面碁盤目状に配列されている。このポット収容部１７は輪郭が四角錐台状をなし、下方に向かって窄まるほぼ籠形の形状である。このポット収容部１７に育苗ポット５１が立てた状態で収容される。このため、各トレイ１１，１２，１３を重ねた状態で上下のポット収容部１７を相互に嵌合状態にすれば、トレイ１１，１２，１３全体を扁平な嵩張らない状態にできる。
【００１２】
図２に示すように、各トレイ１１，１２，１３はポット収容部１７の数が異なり、その結果、前記のように各トレイ１１，１２，１３の大きさが異なる。図３に示すように、各ポット収容部１７は、それぞれ下方へ垂下された４枚の縦板部１８を備え、縦板部１８の下端間には、全体として四角枠形状の外枠部１９と、互いに交差する交差枠部２０とが介在されている。そして、このポット収容部１７内に育苗ポット５１を収容できるようになっている。
【００１３】
図２〜図４に示すように、トレイ１１，１２，１３において、外枠１４の対向する２辺に隣接したポット収容部１７の交差枠部２０には、隣接する辺と平行にした外れ防止部としての外れ防止片２１が架設されている。最下部に位置するトレイ１１の外れ防止片２１は、基枠１０の短辺側に設けられ、中間部に位置するトレイ１２の外れ防止片２１は対向する２辺側に設けられ、最上部に積層されるトレイ１３の外れ防止片２１は基枠１０の長辺側に設けられている。
【００１４】
前記各ポット収容部１７において、内枠１５，１６の長さ方向の中央部の上縁には、受け止め部３４が形成されている。
図２，図５及び図６に示すように、最上部に積層されるトレイ１１を除き、トレイ１２，１３の外枠１４の上縁において、前記外れ防止片２１と対応する部分には外側に向かって横方向に低く突出する掛け止め部３３が形成されている。また、最下部に配置されるトレイ１１においては、外れ防止片２１が存在しない長辺部分にも掛け止め部３３が形成されている。
【００１５】
次に、以上のように構成された実施形態の作用について説明する。
育苗ポット５１の植物を平面的に陳列する場合は、トレイ１１，１２，１３を積層させることなく、育苗ポット５１をトレイ１１，１２，１３のポット収容部１７に収容して、トレイ１１，１２，１３を単独で陳列に用いればよい。
【００１６】
図１に示すように、育苗ポット５１の植物を立体的に陳列する場合は、トレイ１１，１２，１３の大きいものを下にしてトレイ１１，１２，１３を積層する。このとき、図２，図５及び図６に示すように、下側のトレイ１１，１２の受け止め部３４に上側のトレイ１２，１３のポット収容部１７における外枠部１９の内側縁を受け止めさせるとともに、受け止め部３４の両側の凹部における内枠１６上に外枠部１９を載置する。また、上側のトレイ１２，１３のポット収容部１７の外枠部１９を下側のトレイ１１，１２の掛け止め部３３に外側から掛け止めるとともに、掛け止め部３３の両側の凹部おける外枠１４に外枠部１９を載置する。このようにすれば、上下のトレイ１１，１２，１３は、それらの後部（図５の左側）がほぼ揃い、全体で３段重ねの雛壇状を呈する育苗ポット用トレイセットとなる。
【００１７】
つまり、図３〜図５に示すように、上側のトレイ１２，１３のポット収容部１７が下側のトレイ１１，１２のポット収容部１７の一方の内枠１６上に載置されて、その状態で保持される。なお、トレイ１２，１３の向きを変更した場合は、上側のトレイ１２，１３のポット収容部１７が他方の内枠１５上に載置される。従って、各トレイ１１，１２，１３のポット収容部１７に育苗ポット５１を収容すれば、育苗ポット５１を立体的に見栄えよく陳列することができる。
【００１８】
そして、この状態においては、上側のトレイ１２，１３のポット収容部１７の外枠部１９が下側のトレイ１１，１２の掛け止め部３３に掛止されているため、上側のトレイ１２，１３が前のめり状態に傾斜することを防止できる。すなわち、上側のトレイ１２，１３に支持される育苗ポット５１の不均一配列などによって全体としての重量バランスが悪いと、同トレイ１２，１３は前側が沈降するとともに、後ろ側が上昇するように傾斜して、陳列効果が損なわれる。本実施形態においては、掛け止め部３３と外枠部１９との掛け止めによってトレイ１２，１３の後ろ側の上昇が阻止されるため、このような問題は回避される。
【００１９】
加えて、外枠１４と隣接する位置において、その外枠１４と平行をなすように、ポット収容部１７の下端に掛け止め部３３に対して前方から対向する外れ防止片２１が形成されている。このため、図５及び図６の状態において、ポット収容部１７の外枠部１９が掛け止め部３３から外れて、上側のトレイ１２，１３が後方に移動あるいは変形しようとしても、外れ防止片２１が掛け止め部３３に当たる。従って、ポット収容部１７の外枠部１９が受け止め部３４に受けられていることと相俟って、トレイ１２，１３の後方移動が阻止される。従って、トレイ１２，１３が後方へずり落ちることを回避できる。
【００２０】
なお、図１の場合とは異なり、上側のトレイ１２を下側のトレイ１１に対して９０度向きを変えて積層したり、トレイ１２，１３をその下部のトレイ１１，１２の前側に積層したりすることも可能である。この場合、ポット収容部１７が載置される内枠１５，１６や、ポット収容部１７の外枠部１９が受け止められる受け止め部３４や掛け止される掛け止め部３３は適宜に選択される。
【００２１】
従って、本実施形態においては、以下の効果がある。
（１）受け止め部３４とポット収容部１７の外枠部１９との係合及び掛け止め部３３と同外枠部１９との掛け止めにより、大きさの異なるトレイ１１，１２，１３を積層状態に相対移動を抑制した状態で保持させることができる。そのため、そのトレイ１１，１２，１３に育苗ポット５１を立体的に見栄えよく陳列できる。
【００２２】
（２）育苗ポット用トレイのセットは、ポット収容部１７の数が異なる大きさの異なるトレイ１１，１２，１３が組み合わされているため、トレイ１１，１２，１３を雛壇状をなすように積層でき、育苗ポット５１を立体的に見栄え良く陳列できる。
【００２３】
（３）上側のトレイ１２，１３のポット収容部１７に掛け止め部３３が内側から、つまり前方から掛止するため、同トレイ１２，１３に支持された育苗ポット５１の重量バランスが悪くても、同トレイ１２，１３が前のめり状態に傾斜することを防止できて、育苗ポット５１を体裁よく陳列できる。
【００２４】
（４）ポット収容部１７の下端に外れ防止片２１が形成され、この外れ防止片２１が掛け止め部３３に対して前方から対向される。このため、トレイ１２，１３，特に、同トレイ１２，１３の最後列のポット収容部１７の部分の変形による後方移動が阻止される。従って、トレイ１２，１３が後方へずり落ちることを回避できる。
【００２５】
（５）トレイ１２，１３の傾斜を防止するための外れ防止片２１や、トレイ１１，１２，１３を積層状態に保持するための掛け止め部３３は、トレイ１１などに一体形成されている。このため、部品点数が増えることはなく、構成が簡単であって、トレイ１１などの成形は容易である。
【００２６】
（６）受け止め部３４や掛け止め部３３が内枠１５、１６の上縁において、他の部分と同じ高さに形成されているため、受け止め部３４や掛け止め部３３が邪魔になることを回避できる。
【００２７】
本発明は、前記実施形態に限定されるものではなく、以下のような態様で具体化してもよい。
・受け止め部３４を省略すること。この場合においても、積層上部側のトレイ１２，１３の外枠部１９は、内枠１５，１６上に載置される。
【００２８】
・トレイ１１，１２，１３の外れ防止片２１を省略すること。あるいは、最下部に配置されるトレイ１１の外れ防止片２１を省略すること。
・前記実施形態においては、ポット収容部１７の底部の交差枠部２０を交差させて構成したが、ポット収容部１７の底部を格子状にしたり、小孔が多数形成された板状にしたり、簀子状にしたりなど、適宜変更すること。
【００２９】
・トレイ１１，１２，１３のポット収容部１７の数を変更して、トレイ１１，１２，１３の大きさを変更すること。
前記実施形態から把握される技術的思想は以下の通りである。
【００３０】
（Ａ）請求項１〜４のうちのいずれか一項に記載の育苗ポット用トレイを有するトレイセットであって、前記ポット収容部の数が異なる複数種類の育苗ポット用トレイを備えた育苗ポット用トレイセット。
【００３１】
このようにすれば、育苗ポット用トレイを雛壇状に積層できて、高い陳列効果を得ることができる。
（Ｂ）最上部に積層される育苗ポット用トレイは、前記掛け止め部を有しない構成である前記技術的思想（Ａ）に記載の育苗ポット用トレイセット。
【００３２】
この構成においては、最上部の育苗ポット用トレイの成形が容易になる。
【符号の説明】
【００３３】
１０…基枠、１１…育苗ポット用トレイ、１２…育苗ポット用トレイ、１３…育苗ポット用トレイ、１４…外枠、１５…内枠、１６…内枠、１７…ポット収容部、２１…外れ防止片、３３…掛け止め部、３４…受け止め部。
【図１】
2019041614.tif 000003
【図２】
2019041614.tif 000004
【図３】
2019041614.tif 000005
【図４】
2019041614.tif 000006
【図５】
2019041614.tif 000007
【図６】
2019041614.tif 000008